(57)【要約】  【課題】  異なるユーザ毎であってもユーザ毎にあわせたデュアルビュー表示の操作を行うことができるビゲーション装置を提供する。  【解決手段】  デュアルビュー表示が可能なディスプレイを有するナビゲーション装置において、操作者を操作者特定手段によって特定することで左右各画面に対象操作者に従った画面を表示することができ、特に、車両に搭載されたナビゲーション装置は、運転席側、助手席側とでナビゲーション装置の操作が行える機能（範囲）が異なるため、操作者を特定することができることで、ナビゲーション装置の操作性を向上させる。【選択図】  図１
2007112283.tif 000002
【特許請求の範囲】
【請求項１】
運転席方向および助手席方向に対して異なる画像を表示するデュアルビュー表示部を有したナビゲーション装置であって、
前記デュアルビュー表示部の操作者を特定する操作者特定手段を備えることを特徴とするナビゲーション装置。
【請求項２】
前記操作者特定手段は、操作者を音声認識で特定することを特徴とする請求項１に記載のナビゲーション装置。
【請求項３】
前記操作者特定手段は、操作者を指紋認証で特定することを特徴とする請求項１に記載のナビゲーション装置。
【請求項４】
前記ナビゲーション装置は、前記操作者特定手段で特定された操作者毎に前記デュアルビュー表示部に画面表示することを特徴とする請求項１から請求項３のいずれ一項に記載のナビゲーション装置。
【発明の詳細な説明】
【技術分野】
【０００１】
本発明は、デュアルビュー表示機能を有する表示装置を備えたナビゲーション装置に関するものである。
【背景技術】
【０００２】
従来の液晶表示パネルではシングルビュー表示が一般的であったが、視野角に応じて異なる画面を一つの液晶表示パネルでデュアルビュー表示できる液晶表示パネルが開発されている（例えば、特許文献１）。このデュアルビュー表示ができる液晶表示パネルは、視野角の位置を変えることで全く異なった画面を見ることができるものである。このようなデュアルビュー液晶表示パネルにタッチパネル機能を設け、デュアルビュー表示されているどちらの映像に対してのタッチ操作なのか判断できるものが知られている（例えば、特許文献２）。特に、車載されるナビゲーション装置に用いられる場合、運転席側と助手席側と別けて画面を表示することができ、運転席側には経路案内を表示し、助手席側には映画を表示することができる。また、リモコンなどの遠隔装置を有するデュアルビュー表示装置に対して、遠隔装置の送信位置を検出することで、左右それぞれの画面のどちらに対する操作かを認識する表示装置が知られている（例えば、特許文献３を参照）。
【特許文献１】特開２００３−１７７３５７号公報
【特許文献２】特開２００５−０７１２８６号公報
【特許文献３】特開２００５−０７３０７６号公報
【発明の開示】
【発明が解決しようとする課題】
【０００３】
しかしながら、タッチパネル上に左右各画面に対する専用領域を用意して左右どちらの画面に対する操作なのかを判定（特定）することはできるが、異なるユーザが操作しても同じ動作となってしまいユーザ毎に応じたタッチパネルの操作を行うことはできなかった。
【０００４】
また、リモコン等の遠隔装置の送信位置に応じて左右それぞれの画面のどちらに対する操作かを認識することができるが、異なるユーザが操作しても同じ操作となってしまい、異なるユーザ毎に応じた操作を行うことができなかった。
【０００５】
そこで、本発明は、従来の課題を解決するためになされたものであって、異なるユーザであってもユーザ毎にあわせたデュアルビュー表示の操作を行うことができるビゲーション装置を提供することを目的とする。  
【課題を解決するための手段】
【０００６】
本発明のナビゲーション装置は、運転席方向および助手席方向に対して異なる画像を表示するデュアルビュー表示部を有したナビゲーション装置であって、前記デュアルビュー表示部の操作者を特定する操作者特定手段を備えたことを構成を有している。
【０００７】
このように構成されたナビゲーション装置によれば、運転席方向および助手席方向に対して異なる画像を表示するデュアルビュー表示部の操作者を特定する操作者特定手段を備えることで、デュアルビュー表示画面に表示する画面上の文字サイズやオーディオのプレイリスト等を変えて操作者毎に表示することができ、車の移動中にナビゲーション装置を
操作する人が運転者側か助手席側かを操作者特定手段で特定することで、運転席側からの操作と助手席側からの操作とを区別してナビゲーション装置を使用することができる。
【０００８】
また、本発明のナビゲーション装置の前記操作者特定手段は、操作者を音声認識で特定する構成を有している。
【０００９】
このように構成されたナビゲーション装置によれば、運転席方向および助手席方向に対して異なる画像を表示するデュアルビュー表示部の操作者を音声認識で特定することで、簡単にナビゲーション装置の操作する人を特定することができる。例えば、運転席側に座る人と助手席側に座る人の音声をそれぞれナビゲーション装置に保存することで、操作者が音声認識するだけで登録された音声の位置に対応したデュアルビュー表示画面に表示する画面上の文字サイズやオーディオのプレイリスト等を変えて操作者毎に表示することができる。
【００１０】
また、本発明のナビゲーション装置の前記操作者特定手段は、操作者を指紋認証で特定する構成を有している。
【００１１】
このように構成されたナビゲーション装置によれば、運転席方向および助手席方向に対して異なる画像を表示するデュアルビュー表示部の操作者を指紋認証で特定することで、簡単にナビゲーション装置の操作する人を特定することができる。例えば、運転席側に座る人と助手席側に座る人の指紋をそれぞれナビゲーション装置に登録しておき、操作者が指紋認識するだけで認証結果に応じてデュアルビュー表示画面に表示する画面上の文字サイズやオーディオのプレイリスト等を変えて操作者毎に表示することができる。なお、指紋認証は、デュアルビュー表示部のタッチパネルに触れることで予め登録してある指紋データと認証するように構成してもよく、このようにすると操作者がタッチパネルに触れるだけで指紋認証を行うことができ、認証結果に応じてデュアルビュー表示部における操作者側に表示された画面に対してナビゲーション装置の操作を行うことができる。
【００１２】
また、本発明のナビゲーション装置の前記ナビゲーション装置は、前記操作者特定手段で特定された操作者毎に前記デュアルビュー表示部に画面表示する構成を有している。
【００１３】
このように構成されたナビゲーション装置によれば、操作者特定手段で特定された操作者毎に運転席方向および助手席方向に対して異なる画像を表示するデュアルビュー表示部で表示する文字サイズやオーディオのプレイリスト等を各画面にあわせて表示することができる。例えば、運転席側はナビ画面と助手席側は音楽のプレイリストが表示されている状態で、操作者特定手段で運転席側からの操作か助手席側からの操作かを特定することで、操作者が見ている画面に対応してナビビゲーション装置の操作を行うことができる。
【発明の効果】
【００１４】
本発明のナビゲーション装置は、操作者特定手段でナビゲーション操作の操作を特定することで、操作者に合わせた設定項目でデュアルビュー表示部に表示することができる。また、操作者特定手段を設けることでデュアルビュー表示部に表示された左右それぞれの画面に対しての操作者を特定することができる。さらに、操作者が移動した場合でも、操作者特定手段で特定することで設定項目等を継続して使用することができる。
【発明を実施するための最良の形態】
【００１５】
以下、本発明に係るナビゲーション装置の第１の実施形態について、図面を用いて説明する。  図１は、第１の実施形態のナビゲーション装置の構成を示すブロック図である。なお、第１の実施形態では、操作者特定手段として音声認証を用いて説明する。
【００１６】
図１に示すように、ナビゲーション装置１０は、各種データを入力する入力インターフェースＩＦ（以下、入力ＩＦという）１１と、各種プログラムや各種データなどを記憶するＨＤＤ１２と、基本プログラムを格納するＲＯＭ１３と、ＨＤＤ１２やＲＯＭ１３などに格納されたプログラムを解釈し実行するＣＰＵ１４と、入力ＩＦ１１やＣＰＵ１４などからのデータを保持するＲＡＭ１５を備え、これらはバスで接続され、デュアルビュー表示を行うための画面表示コントローラ２１と、デュアルビュー表示のための第一画像データおよび第二画像データを表示するデュアルビューディスプレイ２２とで構成されている。
【００１７】
また、入力ＩＦ１１には、デュアルビューディスプレイ２２の表面に設けられ、このデュアルビューディスプレイ２２の表面と物体との接触に応じて接触座標に係るデータと接触された物体の映像またはデータを出力するタッチパネル３１と、マイクなどによって外部音声を取り込む音声入力装置３２と、カメラなどによって外部映像を取り込む映像入力装置３３が接続されている。
【００１８】
ＨＤＤ１２には、ナビゲーション装置１０におけるナビゲーションプログラムの他に、ユーザ毎の設定情報を記憶する処理プログラム、入力ＩＦ１１から送信されたデータを元に該当操作者を特定する操作者特定処理を機能させるためのプログラム、各ユーザ（操作者）を認識するための情報が記憶されている。なお、各ユーザを認識するための情報（ユーザ認識情報）は、ユーザごとに管理されており、入力ＩＦ１１から送信されたデータからユーザが特定できるように整理され、予めＨＤＤ１２に登録されている。
【００１９】
以上のように構成されたナビゲーション装置１０の動作について図２を用いて詳細に説明する。図２は、ナビゲーション装置の操作者特定処理の流れを示したフロー図である。
【００２０】
図２に示すように、ナビゲーション装置１０において、ＣＰＵ１４は、ＨＤＤ１２に記憶されたプログラムをＲＡＭ１５に展開すると共に、ＣＰＵ１４は、入力ＩＦ１１の音声入力装置３２から音声データを取得する（Ｓ１）。ここで入力ＩＦ１１は、音声入力装置３２から取得した音声データを元に声紋情報のデータに変換する。
【００２１】
次に、ＣＰＵ１４は、ＨＤＤ１２に保存されているユーザ認識情報を取得し（Ｓ２）、ステップＳ１にて取得した声紋情報のデータと、ステップＳ２にて取得したユーザ認識情報の中に一致する情報があるかを特定する(Ｓ３)。ここでユーザ認識情報は、ユーザごとに管理されており、声紋によりユーザが特定できるように整理されている。なお、ユーザー認識情報は、ＨＤＤ１２に予めユーザが特定できるように声紋情報が登録されている。
【００２２】
ステップＳ３でユーザ認識情報の中に音声データと一致するデータが存在したとき（Ｓ３、ＹＥＳ）、ユーザが特定されたとしＣＰＵ１４はＨＤＤ１２より特定されたユーザの設定情報を取得する（Ｓ４）。
【００２３】
また、ステップＳ３でユーザを特定できなかった場合（Ｓ３、ＮＯ）、ユーザ設定情報は、ナビゲーション装置１０として保存されているデフォルトの値を用いる（Ｓ５）。そして、ステップＳ４又はステップ５によりナビゲーション装置の表示に必要な設定情報を取得したＣＰＵ１４は、該当設定情報に従った設定情報を画面表示コントローラ２１に送信して（Ｓ６）、デュアルビューディスプレイ２２に表示するために第一画像もしくは第二画像を作成する（Ｓ７）。そして、ステップＳ７で作成された第一画像もしくは第二画像をデュアルビューディスプレイ２２に画像データを転送し表示する（Ｓ８）。
【００２４】
このように、デュアルビュー表示が可能なディスプレイを有するナビゲーション装置において、操作者を音声認証によって特定することで左右各画面に対象操作者に従った画面
を表示することができる。
【００２５】
また、第１の実施の形態において、ユーザを特定できなかった場合（Ｓ３、ＮＯ）、ユーザ設定情報は、ナビゲーション装置１０として保存されているデフォルトの値を用いるとしたが、本発明を限定するものではなく、特定できなかったユーザを新たに登録できるように構成してもよい。
【００２６】
次に、第２の実施形態について、図面を用いて説明する。なお、第２の実施形態では、操作者特定手段として指紋認証を用いて説明する。また、第２の実施形態におけるナビゲーション装置の構成において、第１の実施形態と同様の箇所には同じ符号を付し詳細な説明を省略する。
【００２７】
第２の実施形態のナビゲーション装置２０は、各種データを入力する入力インターフェースＩＦ１１と、各種プログラムや各種データなどを記憶するＨＤＤ１２と、基本プログラムを格納するＲＯＭ１３と、ＨＤＤ１２やＲＯＭ１３などに格納されたプログラムを解釈し実行するＣＰＵ１４と、入力ＩＦ１１やＣＰＵ１４などからのデータを保持するＲＡＭ１５を備え、これらはバスで接続され、デュアルビュー表示を行うための画面表示コントローラ２１と、デュアルビュー表示のための第一画像データおよび第二画像データを表示するデュアルビューディスプレイ（デュアルビュー表示部）２２とで構成されている。
【００２８】
また、入力ＩＦ１１には、デュアルビューディスプレイ２２の表面に設けられ、このデュアルビューディスプレイ２２の表面と物体との接触に応じて接触座標に係るデータと接触された物体の映像またはデータを出力するタッチパネル４０と、マイクなどによって外部音声を取り込む音声入力装置３２と、カメラなどによって外部映像を取り込む映像入力装置３３が接続されている。なお、タッチパネル４０には、タッチパネル４０に触れるだけで指紋データを読み取ることができるように構成されている。
【００２９】
ＨＤＤ１２には、ナビゲーション装置１０におけるナビゲーションプログラムの他に、ユーザ毎の設定情報を記憶する処理プログラム、タッチパネル４０から読み取られた指紋データを元に該当操作者を特定する操作者特定処理を機能させるためのプログラム、各ユーザ（操作者）を認識するための情報が記憶されている。なお、各ユーザを認識するための情報（ユーザ認識情報）は、ユーザごとに管理されており、入力ＩＦ１１から送信されたデータからユーザが特定できるように整理され、予めＨＤＤ１２に登録されている。
【００３０】
このように構成されたナビゲーション装置１０の動作について図２を用いて詳細に説明する。図４は、ナビゲーション装置の操作者特定処理の流れを示したフロー図である。
【００３１】
図４に示すように、ナビゲーション装置１０において、ＣＰＵ１４は、ＨＤＤ１２に記憶されたプログラムをＲＡＭ１５に展開すると共に、ＣＰＵ１４は、入力ＩＦ１１のタッチパネル４０から指紋データを取得する（Ｓ１）。ここで入力ＩＦ１１は、タッチパネル４０から取得した指紋データを元に指紋情報のデータに変換する。
【００３２】
次に、ＣＰＵ１４は、ＨＤＤ１２に保存されているユーザ認識情報を取得し（Ｓ２）、ステップＳ１にて取得した指紋情報のデータと、ステップＳ２にて取得したユーザ認識情報の中に一致する指紋情報があるかを特定する(Ｓ３)。ここでユーザ認識情報は、ユーザごとに管理されており、指紋によりユーザが特定できるように整理されている。なお、ユーザー認識情報は、ＨＤＤ１２に予めユーザが特定できるように指紋情報が登録されている。
【００３３】
ステップＳ３でユーザ認識情報の中に指紋データと一致するデータが存在したとき（Ｓ
３、ＹＥＳ）、ユーザが特定されたとしＣＰＵ１４はＨＤＤ１２より特定されたユーザの設定情報を取得する（Ｓ４）。
【００３４】
また、ステップＳ３でユーザを特定できなかった場合（Ｓ３、ＮＯ）、ユーザ設定情報は、ナビゲーション装置１０として保存されているデフォルトの値を用いる（Ｓ５）。そして、ステップＳ４又はステップ５によりナビゲーション装置の表示に必要な設定情報を取得したＣＰＵ１４は、該当設定情報に従った設定情報を画面表示コントローラ２１に送信して（Ｓ６）、デュアルビューディスプレイ２２に表示するために第一画像もしくは第二画像を作成する（Ｓ７）。そして、ステップＳ７で作成された第一画像もしくは第二画像をデュアルビューディスプレイ２２に画像データを転送し表示する（Ｓ８）。
【００３５】
このように、デュアルビュー表示が可能なディスプレイを有するナビゲーション装置１０において、操作者を指紋認証によって特定することで左右各画面に対象操作者に従った画面を表示することができる。また、操作者がタッチパネル４０に触れるだけで操作者が視聴しているデュアルビューディスプレイ２２の画面に対してのナビゲーション装置の操作を行うことができる。
【００３６】
なお、第１の実施の形態及び第２の実施の形態における操作者特定手段を、音声認識や指紋認証を用いて操作者を特定するとしたが、本発明を限定するものではなく、様々な装置を組み合わせて操作者を特定することができる。例えば、運転席、助手席にかかる過重を検出できる負荷センサを設け、運転席又は助手席に座ったときの過重でユーザを特定するように構成してもよい。このように構成すると、ナビゲーション装置を操作する際に操作時に係る操作者の過重移動に対しての負荷を負荷センサで検出し、この検出された負荷から運転手側の操作か助手席側の操作かを特定することができる。
【００３７】
また、ナビゲーション装置に操作者特定手段としてカメラ（センサ）を設けて操作者を虹彩認証すると共にカメラで操作者の視線動きを検出し、ナビゲーション装置に対して視線が向けられた状態で操作されたとき、操作者に応じて表示する画面を変更するように構成してもよい。
【００３８】
また、第２の実施形態において、ナビゲーション装置１０のタッチパネル４０に操作者が触れること特定する構成としたが、本発明を限定するものではなく、例えば、ナビゲーション装置を操作するために設けられた、例えば、リモコン（外部入力装置）に指紋認証を供えて、リモコン操作の際に操作者を特定するように構成してもよい。このような構成にすることで、リモコン操作をするだけでナビゲーション装置の操作を特定することができる。
【産業上の利用可能性】
【００３９】
以上のように、本発明にかかるナビゲーション装置は、デュアルビュー表示された2画面においてそれぞれの画面において、操作対象ユーザ用の設定項目を反映することができる。
【図面の簡単な説明】
【００４０】
【図１】第１の実施の形態におけるナビゲーション装置の構成を示すブロック図
【図２】第１の実施の形態におけるナビゲーション装置の操作者特定処理の流れを示したフロー図
【図３】第２の実施の形態のナビゲーション装置の構成を示すブロック図
【図４】第２の実施の形態におけるナビゲーション装置の操作者特定処理の流れを示したフロー図
【符号の説明】
【００４１】
１０  ナビゲーション装置
１１  入力インターフェース（入力ＩＦ）
１２  ＨＤＤ
１３  ＲＯＭ
１４  ＣＰＵ
１５  ＲＡＭ
２０  ナビゲーション装置
２１  画面表示コントローラ
２２  デュアルビューディスプレイ
３１  タッチパネル
３２  音声入力装置
３３  映像入力装置
４１  タッチパネル
【図１】
2007112283.tif 000003
【図２】
2007112283.tif 000004
【図３】
2007112283.tif 000005
【図４】
2007112283.tif 000006